(57)【特許請求の範囲】
【請求項１】
被設置部に設置される本体と；
プラグの栓刃が挿入される挿入口と、挿入されたプラグの栓刃に接続される刃受け金具を
有するコンセントユニットと；
プラグのロック受部に係合する係合部を有し、プラグの栓刃の挿入方向にプラグを挿入口に押圧するロック片部と；
を具備し、
前記ロック片部は、前記係合部と前記挿入口が設けられた面との距離が、前記プラグの先端面からロック受部までの寸法と同じまたはより近い位置から、所定の距離を移動可能に構成されることを特徴とするコンセント。
【請求項２】
前記ロック片部は、弾性部材により常時プラグの挿入方向に付勢されていることを特徴と
する請求項１に記載のコンセント。
【請求項３】
前記ロック片部は、コンセントユニットの挿入口を覆う閉位置と開放する開位置との間で
本体に対して回動可能となるように構成された蓋体に設けられたことを特徴とする請求項
１または２に記載のコンセント。
【発明の詳細な説明】
【技術分野】
【０００１】
本発明の実施形態は、屋外等に設置されるコンセントに関する。
【背景技術】
【０００２】
近年では、電気自動車（ＥＶ）用の充電スタンドが設置されるようになってきている。また、一般家庭においても電動式の自転車が普及し、商用電源から電動式の自転車に充電できるようになっている。これら充電スタンドや一般家庭での充電にはプラグが接続可能なコンセントが屋外に設けられ、充電中に不用意にプラグが抜けないように、プラグに設けられたロック受部と、ロック受部が嵌り合うロック片部をコンセントに設けてロック機構を構成し、抜け止めを行うようにしている。
【先行技術文献】
【特許文献】
【０００３】
【特許文献１】特開２０１１−１９８７４５号公報
【発明の概要】
【発明が解決しようとする課題】
【０００４】
しかしながら、プラグのロック受部やコンセントのロック片部における構成部品には寸法公差があり、また製造上のバラツキ等によって確実にロックできない恐れが生じる。このため、この種のコンセントにおいては、寸法公差や製造上のバラツキ等があっても確実にロックが可能となるように、如何に構成するかが重要な課題になっている。
【０００５】
本発明は、上記の課題に鑑みなされたもので、プラグをコンセントに差し込んだ状態で、プラグをコンセントに確実にロックすることが可能なコンセントを提供しようとするものである。
【課題を解決するための手段】
【０００６】
本発明の実施形態におけるコンセントは、本体、コンセントユニット、ロック片部を具
備する。本体は、被設置部に設置される。コンセントユニットは、プラグの栓刃が挿入さ
れる挿入口と、挿入されたプラグの栓刃に接続される刃受け金具を有する。ロック片部は、プラグのロック受部に係合する係合部を有し、プラグの栓刃の挿入方向にプラグを挿入口に押圧し、前記係合部と前記挿入口が設けられた面との距離が、前記プラグの先端面からロック受部までの寸法と同じまたはより近い位置から、所定の距離を移動可能に構成される。
【発明の効果】
【０００７】
本発明によれば、プラグをコンセントに差し込んだ状態で、プラグをコンセントに確実にロックすることが可能なコンセントを提供することができる。
【図面の簡単な説明】
【０００８】
【図１】本発明の実施形態であるコンセントを建物の外壁面に設置し、プラグを差し込んだ状態を示す縦断面図。
【図２】同じくコンセントを建物の外壁面に設置した状態を示す縦断面図。
【図３】同じくコンセントを本体とカバー部材に分離して示す斜視図。
【図４】同じくコンセントのロック片部とプラグのロック受部を、一部を断面して示す図で、（ａ）は係合状態を示す側面図、（ｂ）はロック片部を示す側面図、（ｃ）は本（ｂ）図におけるｃ−ｃ線に沿う断面図。
【図５】同じくプラグを示す図で、（ａ）は側面図、（ｂ）は一部を切り欠いて示す斜視図。
【図６】従来のコンセントにおけるロック片部とプラグのロック受部の係合状態を、一部を断面して示す側面図。
【図７】本発明の実施形態であるコンセントのロック片部とプラグのロック受部の係合状態を、一部を断面して示す側面図。
【図８】同じくコンセントにプラグを差し込む状態を示す縦断面図。
【図９】同じくコンセントの第１の変形例を示す縦断面図。
【図１０】同じくコンセントの第２の変形例におけるコンセントのロック片部とプラグのロック受部の係合状態を、一部を断面して示す側面図。
【発明を実施するための形態】
【０００９】
以下、本発明の実施形態について図に従い説明する。本実施形態は、主として電気自動車を充電するために屋外に設置される定格電流２０Ａ・定格電圧２５０Ｖ仕様の屋外設置用のコンセント１０を構成するもので、図１に示すように、建物外壁面等の被設置部Ｘに設置される本体１１、プラグ２０の栓刃２１が挿入される挿入口１２ａと挿入されたプラグの栓刃に接続される刃受け金具１２ｂを有するコンセントユニット１２、コンセントユニットの挿入口１２ａを覆う閉位置と開放する開位置との間で本体１１に対して回動可能となるように構成される蓋体１３、プラグ２０のロック受部２３に係合し、プラグの栓刃２１の挿入方向に移動してプラグを挿入口１２ａに押圧するロック片部１４、本体１１をカバーするカバー部材１５等で構成する。
【００１０】
本体１１は、図１〜図３に示すように、電気絶縁性を有する合成樹脂で構成された箱状をなし、上面板１１ａ、下面板１１ｂおよび両側面板１１ｃ、１１ｃ、前面板１１ｄで構成され、背面が開放された断面が矩形状をなすように一体に形成される。そして、上部の外周部および下部の外周部に、本体１１を被設置部Ｘに取り付けるための取付部１１ｅが形成されている。取付部１１ｅは、上面板１１ａ、下面板１１ｂの背面側を鍔状に一体に外方に向けて突出させて形成され、貫通する取付孔１１ｆが形成されている。取付孔１１ｆは、後述するように、本体１１を設置するサポート３１に対しネジＳ１によって取り付けるための孔で、上面側および下面側にそれぞれ１個ずつ、上下で計２個が形成されている。
【００１１】
また、本体１１の前面板１１ｄは、図３に示すように、板面が斜め下方に向くように傾斜して形成され、後述するコンセントユニット１２の突堤部１２ｄが密封して挿通される円形の開口１１ｄ１が形成されている。なお、本体１１は、背面全体が開放された箱状をなして構成したが、背面は電線を通すための挿通孔程度が形成され閉塞されたものでもよい。また、上面板１１ａ、下面板１１ｂおよび両側面板１１ｃ、１１ｃは、閉塞された板面に構成したが、板面の一部が開口されたものであってもよい。
【００１２】
コンセントユニット１２は、図１、図２に示すように、電気絶縁性を有する合成樹脂で小さな箱形のブロックをなすように構成され、前面にプラグ２０の栓刃２１が挿入される挿入口１２ａが一体に形成され、内部に刃受け金具１２ｂが、その栓刃挿入部１２ｂ１が挿入口１２ａの裏側に面するようにして内蔵され、挿入口１２ａから挿入されたプラグ２０の栓刃２１が、刃受け金具１２ｂの栓刃挿入部１２ｂ１から挿入されて電気的に接続される。
【００１３】
コンセントユニット１２の挿入口１２ａは、コンセントユニット１２の前面から一段下がった凹嵌部１２ｃ内に設けられ、挿入口１２ａに挿入されたプラグ２０の栓刃２１が使用者の指等に容易に接触しないように構成している。そして、凹嵌部１２ｃを構成するための一段上がった部分がアーチ状をなす突堤部１２ｄを構成し、この突堤部１２ｄの頂面に対して、後述する蓋体１３の突条部１３ｇが当接するように構成される。
【００１４】
また、凹嵌部１２ｃの底面外周にはパッキング１２ｅが設けられる。パッキング１２ｅは、シリコーンゴム等で構成されたＯリングで構成され、凹嵌部１２ｃの底面外周に形成された凹溝１２ｆに嵌め込まれて支持される。そして、プラグ２０の栓刃２１が挿入口１２ａから挿入され、刃受け金具１２ｂに接続された際に、プラグ２０の先端面２４がパッキング１２ｅの外表面に当接して、凹嵌部１２ｃの底面、換言すれば、挿入口１２ａ近辺の電気接続部に水や塵埃等が浸入しないように密閉する。なお、後述するが、プラグ２０の先端面２４は、プラグ２０を差し込んだとき、栓刃２１の挿入方向に移動してプラグ２０を挿入口１２ａに押圧するロック片部１４によって、より一層パッキング１２ｅの外表面に密着して強固な密閉を行うことができる。
【００１５】
なお、刃受け金具１２ｂは、コンセントユニット１２に対し、電源接続用の一対の刃受け金具１２ｂと、アース接続用の１個の刃受け金具１２ｂ´との計３個の刃受け金具が内蔵され、各刃受け金具には、コンセントの設置時にコンセントユニット１２の後面から電源線およびアース線が接続される（図示省略）。
【００１６】
そして、コンセントユニット１２の突堤部１２ｄが本体１１の前面板１１ｄに形成された開口１１ｄ１に挿通され、挿入口１２ａが開口１１ｄ１に臨むようにして本体１１内に配設される。また、コンセントユニット１２は、傾斜した前面板１１ｄに取り付けられることによって、挿入口１２ａが斜め下方に向くように位置され、各刃受け金具１２ｂの栓刃挿入部１２ｂ１が斜め下方に向くようにして本体１１内に配設され、プラグ２０が下方から装着できるように構成される。なお、本実施形態において、各刃受け金具１２ｂは、約３０°の角度で斜め下方に向くようにコンセントユニット１２が本体１１内に配設されている。
【００１７】
蓋体１３は、図３に示すように、本体１１に配設されたコンセントユニット１２の挿入口１２ａ、すなわち、刃受け金具１２ｂの栓刃挿入部１２ｂ１を覆うための扉をなすもので、本体１１と同様に、電気絶縁性を有する合成樹脂で略矩形状をなす板状に一体に形成される。矩形状をなす蓋体１３の大きさは、図１、図２に示すように、各挿入口１２ａを覆うことができ、かつ、後述するカバー部材１５の開口部１５ｄよりも小さいが、開口部１５ｄを略覆い開口部の蓋としての機能を有する寸法に形成し、その下辺部１３ａが本体１１の前面板１１ｄの下辺部１１ｇに対して回動可能となるように軸支される。
【００１８】
すなわち、本体１１の下辺部１１ｇに樹脂からなる別体の軸受１６がネジＳ２によって固定され（図１）、この軸受１６の両側に蓋体１３の下辺部１３ａに設けられた一対の軸部を介在させ、両者にわたって軸１６ａを挿通して蓋体１３を本体１１の前面板１１ｄに軸支する。また、軸受１６と蓋体１３の下辺部１３ａには、コイルスプリング（図示省略）を介在させて、蓋体１３が常時コンセントユニット１２の挿入口１２ａおよびカバー部材１５の開口部１５ｄを塞ぐ方向に付勢させる。そして、蓋体１３の上辺部１３ｄには、外方に向けて突出させた操作用の取っ手１３ｅが一体に形成される。
【００１９】
また、蓋体１３の内面には、図３に示すように、突条部１３ｇが一体に形成される。突条部１３ｇは、蓋体１３の閉位置において、上述したコンセントユニット１２の挿入口１２ａに対し、水や塵埃等の浸入を防止、若しくは抑制する作用をなすもので、挿入口１２ａが形成された凹嵌部１２ｃの突堤部１２ｄの頂面に対し、突条部１３ｇの頂面が当接するように、アーチ状の突堤部１２ｄの外周部分に、略合致するアーチ状をなす形状に形成される。
【００２０】
これにより、万一、蓋体１３とカバー部材１５との隙間、特に上方および側方の隙間から水が浸入したとしても、突堤部１２ｄと突条部１３ｇの頂面同士が当接することによって、一種の土手が形成され、隙間から伝わってきた水の勢いを緩和して挿入口１２ａ内への水の浸入を防止、若しくは抑制することが可能になる。
【００２１】
さらに、上記のように構成された蓋体１３内面の略中央部分には、プラグ２０のロック受部２３とともにプラグのロック機構を構成するロック片部１４が設けられる。ロック片部１４は、特に図４に示すように、刃受け金具１２ｂに接続されたプラグ２０をコンセントの本体１１側に係合し、プラグ２０のコンセント１０に対する抜け止めを行う鉤状の係合爪１４ａで構成される。
【００２２】
ロック片部１４は、蓋体１３と同様に合成樹脂で構成され、上記のように、プラグ２０のロック受部２３に係合してプラグ２０の抜け止めの作用をなすとともに、プラグの栓刃２１の挿入方向（図４（ａ）中の矢印ａ方向）に移動して、プラグ２０先端面２４を挿入口１２ａに押圧させる機能を有する。
【００２３】
すなわち、図４（ｂ）に示すように、ロック片部１４を構成する係合爪１４ａは、一方の側面が係合部１４ａ１となるように垂直面となし、底部１４ａ２がスライド面となるように水平面に形成され、図４における正面視で略三角形状をなし、係合部１４ａ１となる垂直面の頂部の角部が、呼び込みのためのＲ形状、若しくは傾斜面をなすガイド部１４ａ３が一体に形成されている。さらに、図４における側面視で逆Ｔ字状をなす形状に形成され、下部両側部に一対の突条部１４ａ４、１４ａ４が一体に形成されている（図４（ｃ））。
【００２４】
また、蓋体１３内面の略中央部分には、プラグ２０の挿入方向ａに沿ってガイドレール１４ｂが一体に形成され（図３）、ガイドレール１４ｂは、一対の対向する凹溝１４ｂ１、１４ｂ１を有し、上記係合爪１４ａの一対の突条部１４ａ４、１４ａ４が嵌合するように構成される。これにより、ロック片部１４は、ガイドレール１４ｂの凹溝１４ｂ１、１４ｂ１によってガイドされ、プラグ２０の挿入方向ａに沿ってスライドが可能となるように構成される。
【００２５】
また、ガイドレール１４ｂは、プラグ２０の挿入方向ａ側にストッパー部１４ｂ２が一体に形成され、逆方向の他端側が塞がれて支持部１４ｂ３が一体に形成され、支持部１４ｂ３と係合爪１４ａとの間に弾性部材、本実施形態では、圧縮されたコイル状のスプリング１４ｂ４が装着される。弾性部材は、板ばね等、他の構成のものであってもよい。そして、スプリング１４ｂ４の弾力によって、係合爪１４ａが常時プラグ２０の挿入方向ａに向けて移動するように付勢され、係合部１４ａ１がストッパー部１４ｂ２に当接している。そして、ガイドレール１４ｂにおけるロック片部１４、すなわち係合爪１４ａの移動距離ｌ１は、プラグ２０のロック受部２３との関係で次のように構成される。
【００２６】
ここで、プラグの構成を説明する。プラグ２０は、図５に示すように、合成樹脂等の絶縁部材で構成されたプラグ本体２２に、栓刃２１、すなわち、一対の電源用の栓刃２１ａとアース用の１本の栓刃２１ｂとが一体に埋め込まれて構成される。また、プラグ本体２２の外周面には、ロック受部２３が一体に形成される。ロック受部２３は、図５に示すように、プラグ本体２２の外周面の略中央部分に一体に形成された凸部からプラグ本体２２の外周方向と長手方向に連続的に曲面状に傾斜した形状にすることによって、掛かり代となる略「コの字、若しくは、Ｕの字」形の形状をなす係合凹部２３ａと、曲面状の傾斜部２３ｂ、２３ｂおよび係合凹部２３ａの「コの字、若しくは、Ｕの字」形の底面部分に形成された垂直面からなる係止部２３ｃを有して構成される。
【００２７】
そして、図４（ａ）に示すように、プラグ２０の挿入操作により、コンセント側の係合爪１４ａに対して、プラグの係合凹部２３ａがスライドして嵌合し、係合凹部２３ａの垂直面からなる係止部２３ｃと係合爪１４ａの垂直面からなる係合部１４ａ１とが当接してお互いが係合するようになっている。また、曲面状の傾斜部２３ｂ、２３ｂは、プラグ２０を挿入口１２ａに対して差し込む過程において、コンセント側の係合爪１４ａを、その傾斜面に添い係合凹部２３ａに向けてガイドする作用をなす。なお、図１、図４（ａ）におけるロック受部２３の係合凹部２３ａは、図５（ｂ）のａ−ａ線に沿い一部を断面して示し、係合部１４ａ１との係合状態を示した。
【００２８】
上記に構成されたプラグ２０は、日本配線器具工業会の規格によって、例えば、定格電流２０Ａ・定格電圧２５０Ｖ用のプラグにおいては、プラグ２０の先端面２４からロック受部２３の係止部２３ｃまでの寸法ｌ２を４０±０．３ｍｍとなるように公差を含めて規格化されている（図５（ａ））。また、寸法ｌ２は、図４（ａ）に示すように、プラグ２０をコンセント１０に差し込んだときのプラグの先端面２４と、コンセント１１の凹嵌部１２ｃ底面との接触面から、ロック片部１４の係合部１４ａ１とロック受部２３の係止部２３ｃとの係合面までの寸法でもある。
【００２９】
上記のように、公差を含めて規格化されているため、寸法ｌ２は、±０．３ｍｍの公差を考慮した場合、最小寸法ｌｍｉｎが３９．７ｍｍ、最大寸法ｌｍａｘが４０．３ｍｍとなる。このため、例えば、ロック片部１４側の寸法、すなわち、コンセント１０の凹嵌部１２ｃ底面と、ロック片部１４の係合部１４ａ１までの寸法が４０ｍｍに構成され、プラグ側の寸法、すなわち、プラグ２０の先端面２４からロック受部２３の係止部２３ｃまでの寸法ｌ２が最小寸法ｌｍｉｎ＝３９．７ｍｍで構成された場合には、ロック片部１４が移動しない従来例においては、図６に示すように、ロック片部１４の係合爪１４ａとロック受部２３の係止部２３ｃとの間に０．３ｍｍの隙間ｓ１が生じ、ガタが生じて確実に係合できなくなり、プラグ２０がコンセント１０から外れる恐れが生じる。また、寸法ｌ２が最大寸法ｌｍａｘ＝４０．３ｍｍで構成された場合には、ロック受部２３の係止部２３ｃがロック片部１４の係合部１４ａ１に係合できない事態が生じる。なお、図６における係合凹部２３ａは、図５（ｂ）のａ−ａ線に沿い一部を断面して示し、係合部１４ａ１との係合状態を示した。
【００３０】
しかして、本実施形態では、ロック片部１４を、図４（ａ）に示すように、ガイドレール１４ｂに沿って、プラグ２０の挿入方向ａに向けて移動できるように構成した。この移動距離ｌ１は、最小寸法ｌｍｉｎ＝３９．７ｍｍ〜最大寸法ｌｍａｘ＝４０．３ｍｍまでを吸収できる寸法、すなわち、０．６ｍｍに設定する。これにより、最小寸法ｌｍｉｎが３９．７ｍｍで構成された場合には、ロック片部１４が挿入方向ａに０．３ｍｍ分移動することによって、最小寸法に構成された場合でも、ロック片部１４の係合部１４ａ１とロック受部２３の係止部２３ｃとの間に隙間ｓ１が生じることがなく、係合爪１４ａをロック受部２３に確実に係合することができる。なお、実際には、ロック片部１４は、図４（ｂ）に示すように、常時スプリング１４ｂ４によってプラグ２０の挿入方向ａに付勢されて、既に０．３ｍｍ分移動し、係合爪１４ａの先端である係合部１４ａ１がガイドレール１４ｂのストッパー部１４ｂ２に当接している。このため、プラグ２０のロック受部２３がロック片部１４に形成された、呼び込みのためのＲ形状のガイド部１４ａ３に沿ってガイドされながら挿入方向ａと逆方向（図４（ａ）中、矢印ｂ方向）に一旦移動しながら両者が係合し、最後に挿入方向ａに向かって０．３ｍｍ分移動して隙間が形成されないように動作する。
【００３１】
また、最大寸ｌｍａｘが４０．３ｍｍで構成された場合には、プラグ側のロック受部２３の係止部２３ｃは、ロック片部１４に形成された、呼び込みのためのＲ形状のガイド部１４ａ３に沿ってガイドされながら挿入方向ａと逆方向（図４（ａ）中、矢印ｂ方向）に対して、０．３ｍｍ分移動する。これによって、最大寸法に構成された場合でも、係合爪１４ａは、ロック受部２３に確実に係合させることができる。
【００３２】
これにより、寸法公差によって、最小寸法に構成された場合でも最大寸法に構成された場合でも、ロック片部１４の係合爪１４ａとロック受部２３とを確実に係合することができ、プラグ２０が係合できなかったり、コンセント１０から外れるような恐れを防止することが可能になる。すなわち、上述した寸法公差、若しくは、±０．３ｍｍ程度の製造上のバラツキに対しても、プラグ２０のコンセント１０に対する確実な装着を担保することが可能になる。
【００３３】
しかも、本実施形態において、ロック片部１４は、常にスプリング１４ｂ４の弾力によって挿入方向ａに向かって押付ける作用をなしている。このため、プラグ２０の抜け止めをさらに強固にすることができるとともに、プラグ２０の先端面２４でパッキング１２ｅの外表面を強く押圧して密着させることができ、パッキング１２ｅによる防水・防塵効果をより一層発揮させることが可能になる。
【００３４】
さらに、本実施形態においては、寸法公差±０．３ｍｍに対して、約１．０ｍｍ分を加えて構成した。すなわち、図７に示すように、上述した寸法公差に相当する寸法を、±１．３ｍｍとなし、最小寸法ｌｍｉｎを３８．７ｍｍ、最大寸法ｌｍａｘを４１．３ｍｍとなし、ロック片部１４の移動距離ｌ１は、最小寸法ｌｍｉｎ＝３８．７ｍｍ〜最大寸法ｌｍａｘ＝４１．３ｍｍまでを吸収できる寸法、すなわち、約２．６ｍｍとなすように構成した。これにより、寸法公差±０．３ｍｍを超えるプラグ、すなわち規格外に構成された各種多様なプラグに対しても、プラグのコンセントに対する確実な装着を担保することが可能になる。加えて、スプリング１４ｂ４の弾力による押し付け力がより一層強くなり、より確実なプラグの抜け防止およびパッキング１２ｅによる密着効果を発揮させることが可能になる。なお、図７における係合凹部２３ａは、図５（ｂ）のａ−ａ線に沿い一部を断面して示し、係合部１４ａ１との係合状態を示した。
【００３５】
なお、図４（ａ）に示す構成の場合、移動寸法ｌ１が０．６ｍｍ（片側で０．３ｍｍ）のため、最小寸法ｌｍｉｎ＝３９．７ｍで構成されると、係合爪１４ａがストッパー部１４ｂ２に当接して、プラグ２０を挿入方向ａに向けて押圧する力が作用しない問題が生じる。しかし、移動寸法ｌ１を２．６ｍｍ（片側で１．３ｍｍ）にした図７の構成によれば、この問題も解消することが可能になる。なお、上記に説明した本実施形態のコンセント１０およびプラグ２０は、日本配線器具工業会の一規格を例としてロック機構の構成および寸法を示したが、他の国内外の規格、さらには規格化されていない構成のコンセントおよびプラグに対しても適宜適用が可能である。
【００３６】
上記のようにプラグのロック機構を構成した蓋体１３は、プラグ２０を接続しない不使用時には、図２に示すように、コンセントユニット１２の挿入口１２ａおよびカバー部材１５の開口部１５ｄを塞ぎ、防水および防塵等の作用を果たす。同時に使用時には、カバー部材１５の開口部１５ｄから、取っ手１３ｅを指で摘んで、図２中、矢印ｃで示す方向に開くことによって、図８のように、挿入口１２ａが外面に露出し、プラグ２０を挿入口１２ａから刃受け金具１２ｂに対して下方から差し込むことが可能になる。
【００３７】
そして、プラグ２０を刃受け金具１２ｂに差し込むと、図１に示すように、プラグ２０の図１中、矢印ａ方向の移動により、プラグ本体２２の外周面に形成されたロック受部２３に対して、コンセント側のロック片部１４の係合爪１４ａが係合し、プラグの抜け止めがなされる。この抜け止めは、蓋体１３に設けられたスプリングの弾力により、常時閉方向に付勢されている蓋体１３に対してプラグ２０を、矢印ａ方向に向けてスライドさせることによって、ロック片部１４の係合爪１４ａがプラグ２０のロック受部２３に対し自動的に係合し、係合した状態から蓋体１３を開く操作（矢印ｃ方向の操作）によって自動的に解除される。
【００３８】
上述したカバー部材１５は、本体１１をカバーするもので、特に図３に示すように、電気絶縁性を有する合成樹脂で構成された箱状をなし、同様に箱状をなす本体１１を、上下左右方向から略覆うように、上面板１５ａ、下面板１５ｂおよび両側面板１５ｃ、１５ｃで構成され、前面および背面が開放された断面が矩形の箱状をなすように形成されている。カバー部材１５の内側形状および寸法は、本体１１の外側形状および寸法より若干大きく形成し、カバー部材１５内に本体１１が挿入され多少の隙間を有して嵌合されるように構成する。
【００３９】
カバー部材１５の前面には、その略中間にプラグ２０の栓刃２１が挿通される開口部１５ｄを有し、この開口部１５ｄの上下に対向し、開口部１５ｄに向かって鍔状に一体に形成された一対の縁部１５ｅ、１５ｅが形成される。これにより、カバー部材１５の全体形状は、開口部１５ｄと上下の縁部１５ｅさらに左右の側面板１５ｃ、１５ｃによって、深さのある略額縁状をなすように構成される。
【００４０】
そして、略額縁状をなすカバー部材１５は、本体１１に対して、本体１１の全体を略覆うようにして被せられる。すなわち、カバー部材１５の開放された背面側を、本体１１の前面側に対向させて挿入し嵌合する。この挿入方向は、本体１１が被設置部Ｘに設置された際の、被設置部Ｘと略直交する方向（図３中、矢印ｅ方向）であって、カバー部材１５を本体１１に対し被せるようにして挿入する。
【００４１】
これにより、本体１１の上面板１１ａ、下面板１１ｂおよび両側面板１１ｃ、１１ｃが、カバー部材１５の上面板１５ａ、下面板１５ｂおよび両側面板１５ｃ、１５ｃによって覆われ、同時に、開口部１５ｄが、本体の前面板１１ｄに設けられたコンセントユニット１２の挿入口１２ａ、すなわち、突堤部１２ｄを有する凹嵌部１２ｃが外面に露出するように対向されて装着される。さらに、カバー部材１５は、本体１１の取付部１１ｅ、１１ｅを含む外周部を覆うように略額縁状に形成され、取付部１１ｅ、特に上下の各取付孔１１ｆにおける防水・防塵効果を図ることができる。なお、上記のように装着された本体１１とカバー部材１５は、係止手段１７および係合手段１８によって着脱可能に係止されて装着される。
【００４２】
上記により、蓋体１３およびカバー部材１５を有する防水型のコンセント１０が構成される。なお、上記に構成されたコンセント１０は、パッキング（図示省略）を有する裏面枠３０およびサポート３１によって、被設置部Ｘに設置される。
【００４３】
次に、上記に構成されたコンセント１０の設置手順および作動につき説明する。なお、上記に構成されたコンセント１０は、図３に示すように、本体１１とカバー部材１５を分離した状態にしておく。そして、図２に示すように、被設置部、例えば、一般家庭の建物における外壁面Ｘに対し、本体１１の背面側が外壁面Ｘと略平行に、すなわち、略鉛直方向になるように設置する。設置は、先ず、サポート３１を外壁面Ｘに予め形成された設置孔Ｘ１の外周に木ネジ等によって取り付け、さらにサポート３１に対してパッキングを有する裏面枠３０をネジによって取り付ける。
【００４４】
次に、本体１１の各刃受け金具１２ｂに対して、２００Ｖの電源線およびアース線を接続する電気配線を行う。次に、裏面枠３０に対し、本体１１外周部の取付部１１ｅ、１１ｅを合せ、ネジＳ１、Ｓ１を取付孔１１ｆ、１１ｆに挿通し、サポート３１のネジ孔３０ａに対してねじ込み固定する。
【００４５】
次に、カバー部材１５を用意し、カバー部材１５の開放された背面を、本体１１の前面板１１ｄを被せるように位置合せをし、カバー部材１５を、被設置部Ｘと略直交する方向（図２矢印ｅ方向）に移動させ、本体１１をカバー部材１５内に挿入し係合手段によって着脱が可能になるように装着される。この際、カバー部材１５は、被設置部Ｘと略直交するｅ方向に移動させることにより本体１１に装着することができるので、設置部分の上側の外壁面Ｘ１が突出していたり、他の造営物が設けられていた場合などでも、これら突出や造営物によって邪魔されることなく、カバー部材１５を本体１１に確実に装着することができる。
【００４６】
上記のように外壁面Ｘに設置されたコンセント１０は、次のようにして使用される。すなわち、電気自動車を充電する場合には、図２の状態から、図８に示すように、片方の手で蓋体１３の取っ手１３ｅを摘んで開放する。これにより、カバー部材１５の開口部１５ｄが開放されて、コンセントユニット１２の挿入口１２ａが外方に露出される。
【００４７】
この状態で、図８→図１に示すように、他方の手で掴んだプラグ２０を本体１１の斜め下方から挿入し、栓刃２１を挿入口１２ａに差し込み充電を開始する。そして、片方の手で開放した蓋体１３の取っ手１３ｅを離すことによってロック片部１４の係合爪１４ａが、プラグ２０のロック受部２３に対して自動的に係合され、使用中に不用意にプラグ２０がコンセント１０から抜けないように保持される。
【００４８】
この際、上述したように、コンセント１０に設けられたロック片部１４は、プラグ２０の栓刃２１の挿入方向ａに移動してプラグ２０を挿入口１２ａに押圧するように構成したので、寸法公差や製造上のバラツキ、さらには規格外の各種多様なプラグに対しても、プラグ２０のコンセント１０に対する確実な装着を担保することができ、充電中におけるプラグの抜け防止を確実に図ることができる。しかも、ロック片部１４は、常にスプリング１４ｂ４の弾力によって挿入方向ａに向かって押付ける作用をなしている。このため、プラグ２０の抜け止めをさらに強固にすることができるとともに、プラグ２０の先端面２４でパッキング１２ｅを押圧して密着させることができ、パッキング１２ｅによる挿入口１２ａ、すなわち、栓刃２１と刃受け金具１２ｂの電気接続部分における水や塵埃等の浸入を確実に防止することができる。
【００４９】
また、上記のように、プラグ２０を差し込んだ状態、すなわち、コンセント１０の使用中において、プラグ２０の上面および両側面側がカバー部材１５によって覆われ、上方からの雨水および横方向からの雨水に対してプラグ２０の栓刃２１が挿入された挿入口１２ａの近辺、すなわち、電気接続部への雨水の侵入を防ぐことが可能となる。
【００５０】
次に充電が終了した状態で、蓋体１３の取っ手１３ｅを、図１中、矢印ｃ方向に若干開放して、ロック片部１４の係合爪１４ａとプラグ２０のロック受部２３の係合を解除し、プラグ２０をコンセント１０の挿入口１２ａから引き抜く。この操作によって、蓋体１３がスプリングの作用によって、自動的に閉位置に向かって回動し、カバー部材１５の開口部１５ｄおよび挿入口１２ａを閉じる（図２）。
【００５１】
この際、図２に示すように、挿入口１２ａが形成された凹嵌部１２ｃの突堤部１２ｄの頂面に対し、蓋体１３の内面に形成された突条部１３ｇの頂面が当接し、例えば、コンセント近辺での洗車等により、万一、蓋体１３とカバー部材１５との隙間、特に上方および側方の隙間から水が浸入したとしても、突堤部１２ｄと突条部１３ｇの頂面同士が当接することによって、一種の土手が形成され、隙間から伝わってきた水の勢いを緩和して挿入口１２ａ内への水の浸入を防止、若しくは抑制することが可能になる。これにより、コンセントの不使用時において、コンセントの挿入口近辺、すなわち、電気接続部が蓋体１３およびカバー部材１５によって覆われ、上方および横方向からの水や塵埃等の侵入を防止、若しくは抑制することが可能となる。また、万一侵入したとしても、パッキング１２ｅによって挿入口１２ａ、すなわち、電気接続部に水等は浸入することができない。
【００５２】
同時に、蓋体１３がスプリングによって、何ら操作をせず自動的に確実に閉位置に向かって回動させることができ、また、プラグ２０を抜くことによって、蓋体１３がスプリングによって、何ら操作をせずに自動的に確実に閉位置に向かって回動するので、蓋体１３による挿入口１２ａの閉止操作を忘れても確実に閉止することができる。さらに、スプリングの作用によって、例えば、台風などの風雨の強いときにおいても、不用意な蓋体１３の開放、飛散等を防止することが可能になる。同時に、カバー部材１５によって本体１１の取付部１１ｅ、１１ｅが覆われているので、取付部１１ｅ、１１ｅにおける防水・防塵が図れるとともに、外観を良好にして見栄えをよくすることができ、さらに、いたずら防止を図ることが可能になる。なお、保守・点検・修理等の際に、カバー部材１５を本体１１から取り外す場合には、係合手段１８の係合をドライバー等の工具を用いて解除させて取り外し、保守・点検・修理等を簡単に行うことができる。
【００５３】
以上、本実施形態において、ロック片部１４は、蓋体１３に設けたが、図９に示すように、本体１１側に設けるように構成してもよい。すなわち、本体１１の下方部にロック片部１４が設けられ、ロック片部は鉤状の係合爪１４ａからなり、係合爪１４ａを常時突出させる方向に付勢するスプリング（図示省略）が内蔵されて構成される。この状態で、本体１１の下方から挿入されたプラグ２０の係合凹部２３ａに対して係合爪１４ａが係合されて抜け止めがなされる。なお、別途の解除ボタン等を操作することによって、係合爪１４ａが引っ込みプラグ２０との係合状態が解除される。なお、本構成において、ロック片部１４をプラグの挿入方向ａに向かって付勢する弾性部材は、Ｖ字形の板ばね１４ｂ４で構成した。上記構成のロック片部１４においても、上記実施形態と同様に、寸法公差や製造上のバラツキ、さらには規格外の各種多様なプラグに対しても、プラグ２０のコンセント１０に対する確実な装着を担保することができる。さらに、プラグ２０の抜け止めをさらに強固にすることができるとともに、パッキング１２ｅを押圧して密着させることができる。
【００５４】
また、ロック片部１４は、スプリング１４ｂ４によって、常時プラグ２０の挿入方向ａに向けて付勢したが、プラグ挿入後にプランジャ機構等で、手動により強制的に押し付けるように構成してもよい。すなわち、図１０に示すように、スプリング１４ｂ４の他端部にプランジャ４０の一端部を当接し、プランジャ４０の他端部の摘み４１を、図中矢印ａ方向に押すことによって、ロック片部１４とロック受部の係合状態を介してプラグ２０の先端面２４をプラグの挿入方向ａに向けて押圧することができる。なお、図示しないが、プランジャ４０は、プランジャ軸を中心にして左右に回転することができ、ａ方向に押圧して右に回転することによって、押圧した状態にロックされる。また左に回転することによってロックが解除される構成になっている。図１０における係合凹部２３ａは、図５（ｂ）のａ−ａ線に沿い一部を断面して示し、係合部１４ａ１との係合状態を示した。なお、変形例を示す、図９、図１０には、図１〜図８と同一部分に同一符号を付し、詳細な説明は省略した。
【００５５】
また、本実施形態のコンセントは、屋外に設置されるカバー付のコンセントに適用されることが好ましいが、屋内に設置されるコンセントでもよく、また、露出形でも埋込形でも、さらに、１口用でも２口用、３口用でもよく、その口数に限定されない。さらに、アース端子のないコンセント等であってもよく、特定のコンセントには限定されない。以上、本発明の好適な実施形態を説明したが、本発明は上述の実施形態に限定されることなく、本発明の要旨を逸脱しない範囲内において、種々の設計変更を行うことができる。
【符号の説明】
【００５６】
１０  コンセント
１１  本体
１２  コンセントユニット
１２ａ  挿入口
１２ｂ  刃受け金具
１３  蓋体
１４  ロック片部
１４ａ１  係合部
２０  プラグ
２１  栓刃
２３  ロック受部
Ｘ  被設置部
【図１】
0005796779.tif 000002
【図２】
0005796779.tif 000003
【図３】
0005796779.tif 000004
【図４】
0005796779.tif 000005
【図５】
0005796779.tif 000006
【図６】
0005796779.tif 000007
【図７】
0005796779.tif 000008
【図８】
0005796779.tif 000009
【図９】
0005796779.tif 000010
【図１０】
0005796779.tif 000011